(57)【要約】【課題】コネクタハウジングに組み込んだ際のメス端子のガタつきを抑制する。【解決手段】メス端子１０のボックス部１１内の板バネ２０は、前端２１がボックス部１１の上壁１１ａに固定され自由端を後方に延ばした片持バネとして形成され、その片持バネの自由端側には湾曲部２２が設けられ、その湾曲部の後端２２ｃに、オスタブ端子が挿入されることでオスタブ端子に押されて湾曲部が上方に撓む際に、係止孔４２に係合したランス６０のビーク６２の係止溝６３に係合することで板バネを両端支持バネとして機能させると共に、両端支持バネの状態で更に湾曲部が扁平状に圧縮されるのに伴い湾曲部が後方に延伸することによってランスのビークに対し後向きの力を及ぼし、その反力によりボックス部を前方に変位させる係止突片２３が設けられている。【選択図】図７
2014049327.tif 000002
【特許請求の範囲】
【請求項１】
前部に、上壁と下壁との間にオスタブ端子の挿入空間を確保した筒形のボックス部を有しており、該ボックス部を前方に向けた姿勢でコネクタハウジングの端子収容室に後方から挿入された際に、前記端子収容室の天井壁に設けられた可撓性のランスの撓みを利用して該ランスの係止部に前記上壁に形成された係止孔が係合することで、後方への移動が阻止された状態で前記端子収容室の内部に固定され、その状態で前記ボックス部に前方からオスタブ端子が挿入された際に、前記上壁に設けられた板バネと前記下壁に設けられたタブ受部との間に前記オスタブ端子を挟んで該オスタブ端子と電気的に接続されるメス端子であって、
前記板バネは、前端が前記上壁に固定され自由端を後方に延ばし、且つ前記オスタブ端子が挿入された時に該オスタブ端子に押されて上側に撓みその反力で該オスタブ端子を下向きに押圧する片持バネとして形成され、
前記板バネは、その片持バネの自由端側には、挿入される前記オスタブ端子に接触するために下向きに凸に湾曲しながら後方に延びる湾曲部が設けられ、
前記湾曲部の後端には、前記オスタブ端子が挿入されることで該オスタブ端子に押されて前記湾曲部が上方に撓む際に、前記係止孔に係合した前記ランスの係止部に係合することで前記板バネを両端支持バネとして機能させると共に、両端支持バネの状態で更に前記湾曲部が扁平状に圧縮されるのに伴い該湾曲部が後方に延伸することによって前記ランスの係止部に対し後向きの力を及ぼし、その反力により前記ボックス部を前方に変位させる係止突片が設けられている、
ことを特徴とするメス端子。
【請求項２】
前部に、上壁と下壁との間にオスタブ端子の挿入空間を確保した筒形のボックス部を有し、前記上壁と下壁にそれぞれ、前記ボックス部に対して前方からオスタブ端子が挿入された際に、該オスタブ端子を挟むことで該オスタブ端子とメス端子とを電気的に接続するための板バネとタブ受部とが設けられたメス端子を、前記ボックス部を前方に向けた姿勢でコネクタハウジングの端子収容室に後方から挿入することで、前記端子収容室の天井壁に設けられた可撓性のランスの係止部を該ランスの撓みを利用して前記上壁に形成された係止孔に係合させ、それによりメス端子を後方への抜けを阻止した状態で端子収容室の内部に固定すると共に、前記端子収容室の前端壁により前記メス端子の前方への移動を規制したコネクタにおけるメス端子の固定構造であって、
前記板バネは、前端が前記上壁に固定され自由端を後方に延ばし、且つ前記オスタブ端子が挿入された時に該オスタブ端子に押されて上側に撓みその反力で該オスタブ端子を下向きに押圧する片持バネとして形成されており、
前記板バネは、その片持バネの自由端側には、挿入される前記オスタブ端子に接触するために下向きに凸に湾曲しながら後方に延びる湾曲部が設けられ、
前記湾曲部の後端には、前記オスタブ端子が挿入されることで該オスタブ端子に押されて前記湾曲部が上方に撓む際に、前記係止孔に係合した前記ランスの係止部に係合することで前記板バネを両端支持バネとして機能させると共に、両端支持バネの状態で更に前記湾曲部が扁平状に圧縮されるのに伴い該湾曲部が後方に延伸することによって前記ランスの係止部に対し後向きの力を及ぼし、その反力により前記ボックス部を前方に変位させる係止突片が設けられている、
ことを特徴とするコネクタにおけるメス端子の固定構造。
【請求項３】
前記メス端子の板バネの湾曲部の後端に設けられた係止突片が、前記オスタブ端子が挿入されて前記板バネが変形したときに前記メス端子の挿入方向と直交する姿勢となる後面壁を有した上向き突片として形成され、
前記ランスの係止部に、前記係止突片の係合する切欠が設けられ、その切欠に、前記係止突片の後面壁が当接することで、該係止突片の後面壁から後向きの力を受ける前方を向いた係止壁が設けられている、
ことを特徴とする請求項２に記載のコネクタにおけるメス端子の固定構造。
【発明の詳細な説明】
【技術分野】
【０００１】
本発明は、前部に、オスタブ端子の挿入される角筒状のボックス部を有したメス端子、及び、そのメス端子をコネクタハウジングの端子収容室に収容固定したコネクタにおけるメス端子の固定構造に関するものである。
【背景技術】
【０００２】
コネクタ用のメス端子として、前部に、オスタブ端子の挿入される角筒状のボックス部を有し、該ボックス部の内部に、オスタブ端子を接触圧を持って挟むための板バネを形成したものがある。
【０００３】
図８は特許文献１に記載された従来のメス端子をコネクタハウジングに収容した状態を示す断面図である。
このメス端子１１０は、前部に角筒状のボックス部１１１を有し、コネクタハウジング１５０の端子収容室１５１に後方から挿入されることで、端子収容室１５１の内部に固定されている。
【０００４】
ボックス部１１１の内部には、ボックス部１１１の上壁に一体形成された板バネ１２０が片持バネとして設けられており、この板バネ１２０に対向するようにボックス部１１１の下壁には、板バネ１２０との間にオスタブ端子（図示略）を挟むことができるようにタブ受部１３０が設けられている。この場合、板バネ１２０は、オスタブ端子に接触しやすいように下向きに凸の湾曲状に形成されている。
【０００５】
また、ボックス部１１１の下壁の下面には、コネクタハウジング１５０の端子収容室１５１に後方からメス端子１１０を挿入した際に、端子収容室１５１の底壁に形成された可撓性のランス１６０のビーク（係止部）１６２と係合することで、メス端子１１０の後方への抜けを防止する係止突起１４０が設けられている。この可撓性のランス１６０は、後端１６１が端子収容室１５１の底壁に固定されて、自由端を前方に延ばした片持状に形成されている。また、メス端子１１０の係止突起１４０には、ランス１６０のビーク１６２の前端の係合する後向きの係止面１４１が設けられている。
【０００６】
このメス端子１１０をコネクタハウジング１５０に組み込んでコネクタを構成する場合は、後方から端子収容室１５１の内部にボックス部１１１を前側に向けてメス端子１１０を挿入する。そうすると、ボックス部１１１の下面に設けた係止突起１４０が、端子収容室１５１の底壁に設けた可撓性のランス１６０を押し下げる。更に、係止突起１４０がランス１６０を通過するところまでメス端子１１０を端子収容室１５１に挿入すると、ランス１６０が撓みから復帰し、ランス１６０のビーク１６２がメス端子１１０の係止突起１４０に係合して、メス端子１１０が端子収容室１５１内部で固定されてコネクタが完成する。
【０００７】
このコネクタを相手側コネクタと嵌合すると、相手側コネクタのオスタブ端子がメス端子１１０のボックス部１１１に挿入され、板バネ１２０を撓ませながら板バネ１２０とタブ受部１３０との間に進入することで、オスタブ端子が板バネ１２０とタブ受部１３０との間に挟まれ、オスタブ端子とメス端子１１０とが電気的に接続される。
【先行技術文献】
【特許文献】
【０００８】
【特許文献１】特開２００４−２２３０３号公報
【発明の概要】
【発明が解決しようとする課題】
【０００９】
ところで、後端１６１が固定された片持状のランス１６０は、そのビーク１６２がメス端子１１０の係止突起１４０と係合する際に、後端１６１を支点として撓むことになるので、ビーク１６２の移動軌跡が係止突起１４０と干渉しないようにする必要がある。そのため、ビーク１６２と係止突起１４０との間に前後方向の隙間Ｔを確保しておかなければならない。
【００１０】
しかし、この隙間Ｔがあいていると、コネクタハウジング１５０にメス端子１１０を組み込んだ状態で、メス端子１１０がコネクタハウジング１５０内で前後方向にガタつくことになり、オスタブ端子とメス端子１１０を嵌合させた際に接点の摩耗を招くおそれがある。
【００１１】
本発明は、上述した事情に鑑みてなされたものであり、その目的は、コネクタハウジングに組み込んだ際の端子のガタつきを抑制することができるメス端子、及び、そのメス端子をコネクタハウジングの端子収容室に収容固定したコネクタにおけるメス端子の固定構造を提供することにある。
【課題を解決するための手段】
【００１２】
前述した目的を達成するために、本発明に係るメス端子は、下記（１）を特徴としている。
（１）  前部に、上壁と下壁との間にオスタブ端子の挿入空間を確保した筒形のボックス部を有しており、該ボックス部を前方に向けた姿勢でコネクタハウジングの端子収容室に後方から挿入された際に、前記端子収容室の天井壁に設けられた可撓性のランスの撓みを利用して該ランスの係止部に前記上壁に形成された係止孔が係合することで、後方への移動が阻止された状態で前記端子収容室の内部に固定され、その状態で前記ボックス部に前方からオスタブ端子が挿入された際に、前記上壁に設けられた板バネと前記下壁に設けられたタブ受部との間に前記オスタブ端子を挟んで該オスタブ端子と電気的に接続されるメス端子であって、
前記板バネは、前端が前記上壁に固定され自由端を後方に延ばし、且つ前記オスタブ端子が挿入された時に該オスタブ端子に押されて上側に撓みその反力で該オスタブ端子を下向きに押圧する片持バネとして形成され、
前記板バネは、その片持バネの自由端側には、挿入される前記オスタブ端子に接触するために下向きに凸に湾曲しながら後方に延びる湾曲部が設けられ、
前記湾曲部の後端には、前記オスタブ端子が挿入されることで該オスタブ端子に押されて前記湾曲部が上方に撓む際に、前記係止孔に係合した前記ランスの係止部に係合することで前記板バネを両端支持バネとして機能させると共に、両端支持バネの状態で更に前記湾曲部が扁平状に圧縮されるのに伴い該湾曲部が後方に延伸することによって前記ランスの係止部に対し後向きの力を及ぼし、その反力により前記ボックス部を前方に変位させる係止突片が設けられている、
こと。
【００１３】
上記（１）の構成のメス端子によれば、ボックス部を前方に向けた姿勢でコネクタハウジングの端子収容室に後方から挿入することで、端子収容室の天井壁に設けたランスの係止部をボックス部の上壁に形成した係止孔に係合させ、それにより端子収容室の内部に固定することができる。またその状態で、前方からオスタブ端子を挿入することで、ボックス部の上壁に設けた板バネと下壁に設けたタブ受部との間にオスタブ端子を挟むことができる。その際、板バネは、上方に撓むことで反力をオスタブ端子に及ぼし、メス端子とオスタブ端子との間に接触圧を発生する。また、板バネが上方に撓むことで、板バネの湾曲部の後端に設けた係止突片が、ボックス部の上壁の係止孔に嵌まるランスの係止部に係合し、板バネが両端支持バネとして圧縮変形することになり、より強い接触圧を発生する。しかも、板バネの湾曲部が更に圧縮変形するのに伴って湾曲部は後方へ向けて延伸することになり、延伸による力をランスの係止部に及ぼして、その反力によりメス端子を前方に変位させることができる。従って、このメス端子の前方への変位によって、メス端子の前端を端子収容室の前端壁に向けて押し付けることができ、メス端子とコネクタハウジングの前後方向のガタつきを少なくすることができて、その結果、メス端子とオスタブ端子との接点の摩耗を減らすことができる。
【００１４】
前述した目的を達成するために、本発明に係るコネクタにおけるメス端子の固定構造は、下記（２）または（３）を特徴としている。
（２）  前部に、上壁と下壁との間にオスタブ端子の挿入空間を確保した筒形のボックス部を有し、前記上壁と下壁にそれぞれ、前記ボックス部に対して前方からオスタブ端子が挿入された際に、該オスタブ端子を挟むことで該オスタブ端子とメス端子とを電気的に接続するための板バネとタブ受部とが設けられたメス端子を、前記ボックス部を前方に向けた姿勢でコネクタハウジングの端子収容室に後方から挿入することで、前記端子収容室の天井壁に設けられた可撓性のランスの係止部を該ランスの撓みを利用して前記上壁に形成された係止孔に係合させ、それによりメス端子を後方への抜けを阻止した状態で端子収容室の内部に固定すると共に、前記端子収容室の前端壁により前記メス端子の前方への移動を規制したコネクタにおけるメス端子の固定構造であって、
前記板バネは、前端が前記上壁に固定され自由端を後方に延ばし、且つ前記オスタブ端子が挿入された時に該オスタブ端子に押されて上側に撓みその反力で該オスタブ端子を下向きに押圧する片持バネとして形成されており、
前記板バネは、その片持バネの自由端側には、挿入される前記オスタブ端子に接触するために下向きに凸に湾曲しながら後方に延びる湾曲部が設けられ、
前記湾曲部の後端には、前記オスタブ端子が挿入されることで該オスタブ端子に押されて前記湾曲部が上方に撓む際に、前記係止孔に係合した前記ランスの係止部に係合することで前記板バネを両端支持バネとして機能させると共に、両端支持バネの状態で更に前記湾曲部が扁平状に圧縮されるのに伴い該湾曲部が後方に延伸することによって前記ランスの係止部に対し後向きの力を及ぼし、その反力により前記ボックス部を前方に変位させる係止突片が設けられている、
こと。
（３）  上記（２）の構成のコネクタにおけるメス端子の固定構造において、
前記メス端子の板バネの湾曲部の後端に設けられた係止突片が、前記オスタブ端子が挿入されて前記板バネが変形したときに前記メス端子の挿入方向と直交する姿勢となる後面壁を有した上向き突片として形成され、
前記ランスの係止部に、前記係止突片の係合する切欠が設けられ、その切欠に、前記係止突片の後面壁が当接することで、該係止突片の後面壁から後向きの力を受ける前方を向いた係止壁が設けられている、
こと。
【００１５】
上記（２）の構成のコネクタにおけるメス端子の固定構造によれば、ランスによってメス端子をコネクタハウジングの端子収容室の内部に固定した状態で、前方からオスタブ端子をメス端子のボックス部に挿入することで、ボックス部の上壁に設けた板バネと下壁に設けたタブ受部との間にオスタブ端子を挟むことができ、板バネの撓み反力による接触圧をメス端子とオスタブ端子の接点に作用させることができる。また、板バネが上方に撓むことで、板バネの湾曲部の後端に設けた係止突片が、ボックス部の上壁の係止孔に嵌まるランスの係止部に係合し、板バネが両端支持バネとして圧縮変形することになり、より強い接触圧を接点に作用させることができる。しかも、板バネの湾曲部が更に圧縮変形するのに伴って湾曲部は後方へ向けて延伸することになり、延伸による力をランスの係止部に及ぼすことで、その反力によりメス端子を前方に変位させることができる。従って、このメス端子の前方への変位によって、メス端子の前端を端子収容室の前端壁に向けて押し付けることができ、メス端子とコネクタハウジングの前後方向のガタつきを少なくすることができて、その結果、メス端子とオスタブ端子との接点の摩耗を減らすことができる。
上記（３）の構成のコネクタにおけるメス端子の固定構造によれば、板バネの係止突片の後面壁とランスの切欠の係止壁とを、メス端子の挿入方向と直交する面内で当接させることができるので、係止突片からの力をランスの係止部で確実に受け止めることができ、その反力を、メス端子を前方に変位させる力として有効に利用することができる。
【発明の効果】
【００１６】
本発明によれば、オスタブ端子を嵌合させた際に、メス端子を前方に変位させてコネクタハウジングに対するガタつきを少なくすることができ、接点の摩耗を減らすことができる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明の実施形態のメス端子の外観斜視図である。
【図２】図２は、本発明の実施形態のメス端子のボックス部の内部構造を示す斜視断面図である。
【図３】図３は、本発明の実施形態のメス端子のボックス部の内部構造を示す側断面図である。
【図４】図４は、コネクタハウジングに収容する前の同メス端子のボックス部に対してオスタブ端子を挿入したときの板バネの撓みの状態を示す側断面図である。
【図５】図５は、本発明の実施形態のメス端子を収容固定するコネクタハウジングの端子収容室の構成を示す斜視図及びその要部拡大図である。
【図６】図６は、本発明の実施形態のメス端子をコネクタハウジングの端子収容室に収容固定した状態を示す側断面図である。
【図７】図７は、コネクタハウジングに収容固定した同メス端子のボックス部にオス端子を挿入した状態を示す側断面図及びその要部拡大図である。
【図８】図８は、従来例を示す側断面図である。
【発明を実施するための形態】
【００１９】
以下、本発明の実施形態を図面を参照して説明する。
図１は実施形態のメス端子の外観斜視図、図２はメス端子のボックス部の内部構造を示す斜視断面図、図３はメス端子のボックス部の内部構造を示す側断面図、図４はコネクタハウジングに収容する前のメス端子のボックス部に対してオスタブ端子を挿入したときの板バネの撓みの状態を示す側断面図、図５はメス端子を収容固定するコネクタハウジングの端子収容室の構成を示す斜視図及びその要部拡大図、図６はメス端子をコネクタハウジングの端子収容室に収容固定した状態を示す側断面図、図７はコネクタハウジングに収容固定したメス端子のボックス部にオス端子を挿入した状態を示す側断面図及びその要部拡大図である。
【００２０】
この明細書では、便宜上の方向性として図１に示すように「上」側と「下」側を定義しているが、メス端子の使用時の姿勢によって、ボックス部の上側が下や横を向き、ボックス部の下側が上や横を向いていても当然構わない。
【００２１】
図１に示すように、このメス端子１０は、前部に、上壁１１ａと下壁１１ｂと左右側壁１１ｃ、１１ｄとを備えた角筒形のボックス部１１を有し、その後側に電線の導体に圧着する導体圧着部１２、その更に後側に電線の被覆の付いた部分に加締める被覆加締部１３を有している。ボックス部１１と導体圧着部１２の間及び導体圧着部１２と被覆加締部１３の間にはそれぞれ繋ぎ部１４、１５で繋がっている。
【００２２】
このメス端子１０は、図２及び図３に示すように、ボックス部１１の上壁１１ａと下壁１１ｂの間にオスタブ端子７０の挿入空間を確保しており、図６に示すように、コネクタハウジング５０の端子収容室５１に後方から挿入されることで端子収容室５１の内部に固定される。そしてその状態で、図７に示すようにボックス部１１に前方からオスタブ端子７０が挿入された際に、上壁１１ａに設けられた板バネ２０と下壁１１ｂに設けられたタブ受部３０との間にオスタブ端子７０を挟むことで、オスタブ端子７０と電気的に接続されるようになっている。
【００２３】
図２〜図４に示すように、板バネ２０は基本的に、前端（固定端）のＵ字状屈曲部２１が上壁１１ａの前端に固定され、自由端側を後方に延ばした片持バネとして形成されており、オスタブ端子７０が挿入された時にオスタブ端子７０に押されて上側に撓み、その反力でオスタブ端子７０を下向きに押圧するようになっている。
【００２４】
この板バネ２０の自由端側には、下向きに凸に逆への字状に湾曲した湾曲部２２が設けられている。つまり、この逆への字状の湾曲部２２のＵ字状屈曲部２１に連なる前端２２ａと自由端である後端２２ｃとの間に、下向きに一番突出した最下端部２２ｂが設けられており、この最下端部２２ｂの下面に、オスタブ端子７０の上面７１と押圧接触する第１接点Ｓａが設けられている。
【００２５】
また、板バネ２０の湾曲部２２の後端２２ｃには、上向きに突出した係止突片２３が設けられている。この係止突片２３は、後述するようにランス６０のビーク６２の係合溝６３に係合する部分である。更に、ボックス部１１の上壁１１ａの前記係止突片２３に対向する位置には矩形の係止孔４２が形成されている。
【００２６】
また、板バネ２０に対向するタブ受部３０の上面には、第１接点Ｓａの前側と後側に位置して上に凸の湾曲部３１、３２が設けられており、それら湾曲部３１、３２の最上端に、オスタブ端子７０の下面７２と接触する第２接点Ｓｂ及び第３接点Ｓｃが設けられている。
【００２７】
一方、コネクタハウジング５０は、図５に示すように、端子収容室５１の前方にオスタブ端子７０の挿入孔５７を有した前端壁５６を有している。この挿入孔５７は、端子収容室５１に収容固定されたメス端子１０のオスタブ端子挿入位置に対応するように設けられている。端子収容室５１は、天井壁５２と底壁５３の間に画成されており、天井壁５２にメス端子１０を係止する可撓性のランス６０が形成されている。
【００２８】
このランス６０は、コネクタハウジング５０の端子収容室５１に後方からメス端子１０を挿入した際に、ビーク（係止部）６２をメス端子１０の係止孔４２に係合させることで、メス端子１０の後方への抜けを阻止するものであり、後端６１が端子収容室１５１の天井壁に固定され、自由端を前方に延ばした片持状に形成されている。また、ランス６０のビーク６２の下面には、係合溝（切欠）６３が設けられており、その係合溝６３の後端には、前方を向いた係止壁６４が設けられている。
【００２９】
次に板バネ２０の自由端に形成した係止突片２３について詳しく延べる。
板バネ２０は、図４に示すように、ボックス部１１にオスタブ端子７０が挿入されることで、該オスタブ端子７０に押されて上方に撓む。その際、図７に示すように、係止突片２３は、湾曲部２２が上下方向に変形するのに従って、ボックス部１１の係止孔４２に係合したランス６０のビーク６２の係合溝６３に係合し、板バネ２０を両端支持バネとして機能させる。
【００３０】
両端支持バネの状態で更に湾曲部２２が扁平状に圧縮されると、それに伴って湾曲部２２が後方に延伸する。つまり、湾曲部２２の前後方向の寸法は、オスタブ端子７０の挿入前にはＡ０（図６参照）であったものが、両端支持バネの状態で湾曲部２２が圧縮されることにより、延伸量Ａ１を加えた寸法Ａ２まで延伸する。そして、湾曲部２２が延伸することによって、係止突片２３は、ランス６０のビーク６２の係止壁６４に対し後向きの力を及ぼし、その反力により、ボックス部１１を前方に矢印Ｂのように変位させる。このメス端子１０の前方への変位により、図６に示したメス端子１０のボックス部１１の前端と端子収容室５１の前端壁５６との間の隙間Ｈが埋められる。
【００３１】
この場合、係止突片２３の後面壁は、メス端子１０の挿入方向と直交する姿勢となってランス６０のビーク６２の係止壁６４に当接し、係止壁６４を後向きに押圧する。
【００３２】
このコネクタハウジング５０にメス端子１０を収容する場合は、図６に示すように、端子収容室５１に後方からメス端子１０のボックス部１１を挿入する。そうすると、ランス６０のビーク６２にボックス部１１の上壁１１ａが当たることでランス６０が上方に撓み、ビーク６２と係止孔４２が一致する位置までメス端子１０を挿入することで、ランス６０が撓みから復帰してビーク６２が係止孔４２に嵌まり、メス端子１０が後方へ抜け止めされる。
【００３３】
この状態では、図６に示すように、メス端子１０の前端と端子収容室５１の前端壁５６との間に若干の隙間Ｈがある。この隙間Ｈは、ランス６０のビーク６２が撓みから復帰する際に、係止孔４２の前端と干渉するのを避けるために確保されたものである。
【００３４】
次にその状態で、図７に示すように、前方からオスタブ端子７０を挿入する。そうすると、ボックス部１１の上壁１１ａに設けた板バネ２０と下壁１１ｂに設けたタブ受部３０との間にオスタブ端子７０が進入し、オスタブ端子７０が板バネ２０とタブ受部３０との間に挟まれる。その際、板バネ２０は、上方に撓むことで反力をオスタブ端子７０に及ぼし、メス端子１０とオスタブ端子７０との間に接触圧を発生させる。
【００３５】
また、板バネ２０が上方に撓むことで、板バネ２０の湾曲部２２の後端に設けた係止突片２３が、ボックス部１１の上壁１１ａの係止孔４２に嵌まっているランス６０のビーク６２の係合溝６３に係合し、板バネ２０が両端支持バネとして圧縮変形することになり、より強い接触圧を発生する。しかも、板バネ２０の湾曲部２２が更に圧縮変形するのに伴って湾曲部２２は後方へ向けて延伸することになり、延伸による力をランス６０のビーク６２に及ぼして、その反力によりメス端子１０が前方に変位する。
【００３６】
従って、このメス端子１０の前方への変位によって、メス端子１０の前端を端子収容室５１の前端壁５６に向けて押し付けることができ、メス端子１０とコネクタハウジング５０の前後方向のガタつきを少なくすることができて、その結果、メス端子１０とオスタブ端子７０との接点の摩耗を減らすことができる。
【００３７】
また、このようにメス端子１０を固定した構造においては、板バネ２０の係止突片２３の後面壁を、ランス６０の係合溝６３の係止壁６４にメス端子１０の挿入方向と直交する面内で当接させることができるので、係止突片２３からの力をランス６０のビーク６２で確実に受け止めることができ、その反力を、メス端子１０を前方に変位させる力として有効に利用することができる。
【００３８】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３９】
１０  メス端子
１１  ボックス部
１１ａ  上壁
１１ｂ  下壁
２０  板バネ
２１  Ｕ字状屈曲部（板バネの前端）
２２  湾曲部
２２ｃ  後端
２３  係止突片
３０  タブ受部
５０  コネクタハウジング
５１  端子収容室
５６  前端壁
６０  ランス
６２  ビーク（係止部）
６３  係止溝（切欠）
６４  係止壁
７０  オスタブ端子
【図１】
2014049327.tif 000003
【図２】
2014049327.tif 000004
【図３】
2014049327.tif 000005
【図４】
2014049327.tif 000006
【図５】
2014049327.tif 000007
【図６】
2014049327.tif 000008
【図７】
2014049327.tif 000009
【図８】
2014049327.tif 000010